(57)【要約】【課題】凝縮器ファンの運転を周囲温度に対応した能力で連続運転とすることにより、電力の無駄使いを排し、圧縮機への過負荷の発生を排した凝縮器ファンの制御機構を提供する。【解決手段】冷凍サイクルの凝縮器１１出口配管の、または凝縮器を通過した空気の温度を測定する温度検出器１２と、その温度検出器で検出した凝縮温度の変動範囲をＴ１　……Ｔｎ　に区分して書き込んだメモリー▲１▼と、この区分Ｔ１　……Ｔｎ　に対応する凝縮器ファンの回転数Ｎ１　……Ｎｎ　のメモリー▲２▼とからなり、上記温度検出器の検出情報をメモリー▲１▼と照合し、メモリー▲１▼に対応するメモリー▲２▼により凝縮器ファンの回転数を制御する構成を採用したもので、冷凍サイクルの運転開始時の凝縮器ファンの回転数は、凝縮温度ＴＣ　に対応する回転数より低いレベルからスタートするようにし、上記凝縮器ファンの回転数Ｎ１　……Ｎｎ　は、互いにオーバーラップさせたものである。【選択図】　図１
2004044868.tif 000002
【特許請求の範囲】
【請求項１】
冷凍サイクルの凝縮器出口配管の、または凝縮器を通過した空気の温度を測定する温度検出器と、上記温度検出器にて検出した凝縮温度の変動範囲をＴ１　……Ｔｎ　に区分して書き込んだメモリー▲１▼と、この区分Ｔ１　……Ｔｎ　に対応する凝縮器ファンの回転数Ｎ１　……Ｎｎ　のメモリー▲２▼とからなり、上記温度検出器の検出情報をメモリー▲１▼と照合し、メモリー▲１▼に対応するメモリー▲２▼により回転数を制御する凝縮器ファン制御機構。
【請求項２】
上記冷凍サイクルの運転開始は、凝縮温度ＴＣ　に対応する回転数より低いレベルからスタートするようにした請求項１に記載の凝縮器ファン制御機構。
【請求項３】
上記凝縮器ファンの回転数Ｎ１　……Ｎｎ　は、互いにオーバーラップさせている凝縮器ファン制御機構。
【発明の詳細な説明】
【０００１】
【発明の属する技術分野】
この発明は、冷凍サイクルにおける凝縮器ファンの制御に関する。
【０００２】
【従来の技術】
冷凍サイクルにおいて凝縮器は、圧縮された冷媒ガスから圧縮熱を取り去って液化させる部分であり、圧縮熱を取り去る手段として凝縮器ファンモータ（ＣＦＭ）が採用されている（図３（ａ））。
【０００３】
また、凝縮器ファンモータ（ＣＦＭ）の効率的運転のために凝縮器出口直後の配管に温度検出器を取付け、検出温度が設定温度（例えば３５℃）を越えたときはリレー３２を閉じて凝縮器ファンモータを運転し、逆にそれより低い設定温度（例えば２５℃）より下がったときはリレー３２を開いて凝縮器ファンモータを停止するようにしたものがある（図３（ｂ），３３：電源スイッチ）。
【０００４】
【発明が解決しようとする課題】
上記従来技術において前者は、凝縮器ファンモータの能力は、周囲温度が高温であるときを基準にして設定されているため、周囲温度がそれより低い場合は凝縮器ファンモータは過剰能力となって電力の無駄使いになっている。
【０００５】
また後者は、凝縮器ファンモータの運転をオン・オフ制御する方式で、凝縮器ファンモータの運転を開始してから実際に凝縮器が冷却されるまでにタイムラグがあり、その間に凝縮圧が上昇して圧縮機に大きな負荷が掛かり故障あるいは圧縮機の寿命を縮める原因となっている。
【０００６】
上記問題に鑑みこの発明は、凝縮器ファンモータ（以下、「モータ」を省略）の運転を周囲温度に対応した能力で連続運転とすることにより、電力の無駄使いを排し、圧縮機への過負荷の発生を排した凝縮器ファンの制御機構を提供することを課題とする。
【０００７】
【課題を解決するための手段】
上記課題を解決するためにこの発明は、冷凍サイクルの凝縮器出口配管の、または凝縮器を通過した空気の温度を測定する温度検出器と、その温度検出器にて検出した凝縮温度の変動範囲をＴ１　……Ｔｎ　に区分して書き込んだメモリー▲１▼と、この区分Ｔ１　……Ｔｎ　に対応する凝縮器ファンの回転数Ｎ１　……Ｎｎ　のメモリー▲２▼とからなり、上記温度検出器の検出情報をメモリー▲１▼と照合し、メモリー▲１▼に対応するメモリー▲２▼により凝縮器ファンの回転数を制御する構成を採用したもので（請求項１）、冷凍サイクルの運転開始時の凝縮器ファンの回転数は、凝縮温度ＴＣ　に対応する回転数より低いレベルからスタートするようにし（請求項２）、上記凝縮器ファンの回転数Ｎ１　……Ｎｎ　は、互いにオーバーラップさせた（請求項３）ものである。
【０００８】
上記の如く構成するこの発明によれば、凝縮器出口配管の温度、または凝縮器を通過した空気の温度に対応して凝縮器ファンの回転数を選択するので適切な送風が行われて電力の節約となり、また凝縮器ファンを連続運転しながら回転数を変えて冷却能力を変えるものであるから、タイムラグがなく、そのため凝縮圧力が上昇して圧縮機に負荷が掛かり故障あるいは寿命を縮めるという問題が解決される。
【０００９】
【発明の実施の形態】
次に図１および図２を参照しながらこの発明の実施形態を説明する。凝縮器１１の出口配管に温度検出器１２が設置され、温度検出器１２の情報はメモリー（Ｔ１　……Ｔ６　）に照合され、その情報は、メモリー（Ｎ１　……Ｎ６　）に照合されて所定の回転数に対応する電圧がブラシレスモータ１３に供給される。
【００１０】
冷凍機を始動するときの条件設定は、温度検出器で検出された凝縮温度ＴＣ　に対応する回転数の低い回転数からスタートする。例えばＴ４　≧Ｔｃ　≧Ｔ３　のとき、これに対応する回転数はＮ３　とＮ４　であるが、節電効果をあげるために回転数Ｎ３　からスタートする。
【００１１】
図２を見ると、温度区分（Ｔ１　……Ｔ６　）に対し、凝縮器ファンの回転数の区分（Ｎ１　……Ｎ６　）はオーバーラップしている。これは、高い温度区分から低い温度区分に順次移行（矢印）するとき、また、低い温度区分から高い温度区分に順次移行（矢印）するとき、移行先が設定範囲のほぼ中間にあってスムーズに移行できるように考慮したものである。
【００１２】
上述のようにＮ３　でスタートすると温度検出器１２の検出値はＴ４　＞Ｔｃ　になるか、ブラシレスモータ１３（凝縮器ファン）の回転により凝縮器１１の出口配管の温度ＴがＴ４　≧Ｔ≧Ｔ３　でバランスするか、あるいは温度が下がりＴ＜Ｔ３　になるかのいずれかである。
【００１３】
この時、温度が上昇してＮ４　に移行するときは移行先がオーバーラップしているのでスムーズに移行する。また、ファン１３の回転により凝縮器１１の出口配管の温度が下がりＮ２　に移行するときは移行先がオーバーラップしているのでスムーズに移行・制御される。
【００１４】
上記実施形態ではブラシレスモータ１３を採用したが、この他、公知の周波数制御、電圧制御、電流制御による可変速モータを採用できる。また、上記実施形態では温度検出器を凝縮器の出口配管に設置したが、凝縮器を通過した空気の温度を測定するようにしてもよい。
【００１５】
【発明の効果】
以上説明した如くこの発明によれば、凝縮器出口配管の温度に対応して凝縮器ファンの回転数を選択するので適切な送風が行われるので電力の節約となり、また凝縮器ファンを連続運転して回転数を変えるものであるから、タイムラグがなく、そのために凝縮圧力が上昇して圧縮機に負荷が掛かり故障あるいは寿命を縮めるという問題がなくなる。
【図面の簡単な説明】
【図１】この発明に係る凝縮器ファンの制御フロー
【図２】同凝縮器ファンの制御説明図
【図３】（ａ）従来の凝縮器ファンの制御回路図（その１）
（ｂ）従来の凝縮器ファンの制御回路図（その２）
【符号の説明】
１１　凝縮器
１２　温度検出器
１３　ブラシレスモータ
３２　リレー
３３　電源スイッチ
ＣＰＲ　冷媒ガス圧縮機
ＣＦＭ　凝縮器ファンモータ
【図１】
2004044868.tif 000003
【図２】
2004044868.tif 000004
【図３】
2004044868.tif 000005